(57)【特許請求の範囲】
【請求項１】
落下する遊技球が接触することにより回転する回転体と、該回転体を回転自在に支承し、遊技盤に取り付ける取り付け基板と、取り付け基板に内蔵され光源を取り付けたランプ基板とからなる弾球遊技機の風車装置において、
前記回転体が、飾り円板と、該飾り円板を取り付ける円板取り付け部と該円板取り付け部に連なり周面に回転翼を突き出した胴部を有する回転本体と、からなり、
前記取り付け基板には、前記回転体を回転自在に支承する金属製の支承軸が一体成形されるとともに、取り付け縁部が周縁に形成され、かつ前記支承軸のボス部、ねじボス部および該両ボス部を取り囲み光源室を形成するよう前記ねじボス部の突出方向に延在するスカート部が裏面に形成され、
前記ボス部後端には、段差を有する位置決めピンが形成され、
前記ランプ基板は、前記位置決めピンが嵌着する位置決め孔を有し、前記光源室が被覆されるように前記取り付け基板に取り付けられ、
前記位置決めピンの前記段差が、前記スカート部の延在方向の高さより高い位置に設けられていることを特徴とする風車装置。
【請求項２】
前記飾り円板および前記回転本体は、それぞれ中央部に形成された軸受け孔を介して前記支承軸に回転自在に支承され、
前記飾り円板の後面に係止爪と位置決め突起を形成し、
前記回転本体の円板取り付け部には前記飾り円板が嵌着する凹部、前記係止爪を挿入する係止孔および前記位置決め突起を嵌入する位置決め孔を形成するとともに、
前記係止爪および前記係止孔は、それぞれ前記飾り円板および前記回転本体の径方向内方であって前記軸受け孔を囲む位置に設けられ、
前記飾り円板が、前記位置決め突起を前記位置決め孔に嵌入することにより前記回転本体に対して位置決めされるとともに、前記係止爪を前記係止孔に挿入することにより前記回転本体に組み込まれるようにした請求項１に記載の風車装置。
【請求項３】
前記回転本体に前記飾り円板を組み込み、前記軸受け孔を形成した前記回転体を前記支承軸に挿着し、該支承軸先端部周面に形成した係止溝に嵌着する突条を内周に形成した中空の止め輪で前記回転体を保持するようにした請求項２に記載の風車装置。
【請求項４】
前記飾り円板の前面に前記止め輪の収容穴を形成した請求項３に記載の風車装置。
【請求項５】
前記回転本体が透明プラスチック材からなる請求項１ないし４のいずれか１項に記載の風車装置。
【請求項６】
前記取り付け基板に複数の前記回転体を設けた請求項１ないし５のいずれか１項に記載の風車装置。
【請求項７】
請求項１ないし６のいずれか１項に記載の風車装置を遊技盤に取り付けた弾球遊技機。
【請求項８】
前記取り付け基板を左右対称の円弧状に形成し、該取り付け基板の風車装置を遊技盤の遊技領域の周縁に、左右対称に取り付けた請求項７に記載の弾球遊技機。
【発明の詳細な説明】
【０００１】
【発明の属する技術分野】
本発明はパチンコ遊技機、じゃん球遊技機などの弾球遊技機の遊技盤の遊技領域内に取り付けられる風車装置および弾球遊技機に関する。
【０００２】
【従来の技術】
風車装置は、パチンコ遊技機の遊技盤の遊技領域内に取り付けられ、遊技球の落下進路を変えるもので、落下する遊技球が回転体に接触し、はじき飛ばされることによりその進路を変えるものであり、従来から種々の機構、構造のものが使用されている。近時は、電飾効果を兼ね備えたランプなどの光源内蔵のものも提案されている。
【０００３】
これらのものは、例えば、実開平6-17783号公報、特開平8-229199号公報あるいは特開平11-235424号公報などに記載されるように、それぞれ部品名称の表現は異なるものの、落下する遊技球が接触することにより回転する回転体と、回転体を回転自在に支承し、遊技盤に取り付ける取り付け基板と、取り付け基板に内蔵され光源を取り付けたランプ基板と、からなるものであり、その細部構造は異なるもののランプ基板に取り付けた光源の照明で回転体すなわち風車を照明しつつ遊技球の落下進路を変えている。
【０００４】
これら従来の風車装置にあっては、いずれも、風車装置を組み立てる部品点数が多く、組立も煩瑣でコストが高いという問題があり、また、装飾性あるいは遊技者への訴求性が必ずしも高いというものではない。
【０００５】
【発明が解決しようとする課題】
本発明は、かかる従来技術の問題に鑑みなされたものであり、コストが低く、電飾性に優れ、訴求性の高い風車装置およびこのような風車装置を設けた弾球遊技機を提供するものである。
【０００６】
【課題を解決するための手段】
すなわち、本発明の風車装置は、落下する遊技球が接触することにより回転する回転体と、該回転体を回転自在に支承し、遊技盤に取り付ける取り付け基板と、取り付け基板に内蔵され光源を取り付けたランプ基板とからなる弾球遊技機の風車装置において、前記回転体が、飾り円板と、該飾り円板を取り付ける円板取り付け部と該円板取り付け部に連なり周面に回転翼を突き出した胴部を有する回転本体と、からなり、前記取り付け基板には、前記回転体を回転自在に支承する金属製の支承軸が一体成形されるとともに、取り付け縁部が周縁に形成され、かつ前記支承軸のボス部、ねじボス部および該両ボス部を取り囲み光源室を形成するよう前記ねじボス部の突出方向に延在するスカート部が裏面に形成され、前記ボス部後端には、段差を有する位置決めピンが形成され、前記ランプ基板は、前記位置決めピンが嵌着する位置決め孔を有し、前記光源室が被覆されるように前記取り付け基板に取り付けられ、前記位置決めピンの前記段差が、前記スカート部の延在方向の高さより高い位置に設けられていることを特徴とする。
この構成により、回転体が、飾り円板と翼を取り付けた回転本体とからなるので、回転性能を向上した上で、製造が容易で、部品点数が少なく、また、装飾性にも優れたコストの低い風車装置を提供できる。
【０００７】
また、本発明の風車装置は、取り付け基板に回転体の金属製の支承軸を一体成形したので、装置の剛性を増し、部品点数も減り、組立性が向上する。
さらに、飾り円板および回転本体が、それぞれ中央部に形成された軸受け孔を介して支承軸に回転自在に支承され、飾り円板の後面に係止爪と位置決め突起を形成し、回転本体の円板取り付け部には飾り円板が嵌着する凹部、係止爪を挿入する係止孔および位置決め突起を嵌入する位置決め孔を形成するとともに、係止爪および係止孔が、それぞれ飾り円板および回転本体の径方向内方であって軸受け孔を囲む位置に設けられ、飾り円板が、位置決め突起を位置決め孔に嵌入することにより回転本体に対して位置決めされるとともに、係止爪を係止孔に挿入することにより回転本体に組み込まれるようにしたものは、成形性がよく、組立性を向上するとともに組立回転体の一体性が増し、装飾、電飾効果も向上する。本発明風車装置のその他の特徴、作用効果については実施形態の説明において詳述する。
【０００８】
本発明の弾球遊技機は、取り付け基板に複数の回転体を取り付けた本発明にかかる風車装置を設けたものであり、コストおよび組立工数を大幅に増加することなく、複数あるいは連風車を設け、遊技機の電飾性能の向上、訴求性の向上に寄与できる。また、取り付け基板を左右対称の円弧状に形成し、この風車装置を遊技盤の遊技領域の周縁に、左右対称に取り付けることにより、電飾性に優れ、均整な弾球遊技機を提供できる。
【０００９】
【発明の実施の形態】
以下、図示した本発明の実施形態に基づき本発明を詳細に説明する。
【００１０】
図１は、本発明風車装置の一実施形態の斜視図であり、図１(a)は組立斜視図、図１(b)は部分分解斜視図である。図２から図６は、図１の実施形態の各部品を示す拡大図である。図２は、飾り円板を示す図であり、図２(a)は正面図、図２(b)は図２(a)のA-A断面図、図２(c)は背面図である。図３は、回転本体を示す図であり、図３(a)は正面図、図３(b)は図３(a)のB-B断面図、図３(c)は背面図である。図４は、取り付け基板を示す図であり、図４(a)は正面図、図４(b)は図４(c)のC-C断面図、図4(c)は背面図である。図５は、止め輪を示す図であり、図５(a)は側断面図、図５(b)は正面図である。図６は、ランプ基板を示す図であり、図６(a)は正面図、図６(b)は側面図、図６(c)は背面図である。
【００１１】
図１において、飾り円板１を回転本体２に組み込んだ２組の回転体すなわち風車が、取り付け基板３に一体成形された２個の金属製の支承軸４に挿着(図１(b))され、止め輪５により支承軸４に回転自在に保持される。取り付け基板３の周縁には取り付け縁部31が形成され、３個のねじ孔32a、32b、32cからねじ(図示せず)により遊技盤面に取り付けられる。取り付け基板３の裏面には光源室3Aを形成するスカート部33が設けられる。ランプ基板６は光源室3Aを被覆するように取り付け基板３の裏面にねじ(図示せず)で固定される。
【００１２】
飾り円板１は、図２に示すように、やや前方に反った円板で中央のボス部11の中心には、止め輪収納穴12と軸受け孔13が穿たれており、またボス部11の外周縁には等配に３個の係止爪14a、14b、14cが形成され、ボス部11の裏面には係止爪14aと14bの間および14bと14cの間にそれぞれ位置決め突起15aおよび15bが形成される(図２(c))。また、円板周縁前面にはリム16が形成され、その内側は大小各３個、計６個の穴16a、16b、16c、16d、16e、16fが抜かれている。この飾り円板１は着色プラスチックで一体成形される。
【００１３】
回転本体２は、図３に示すように、飾り円板１が嵌着する円状の凹部21aを形成した円板取り付け部21とこの円板取り付け部21に連なり裏面に延びた胴部22と胴部22の外周面から放射状に突き出して形成された３個の回転翼23a、23b、23cとからなり、透明プラスチックで一体成形されるものである。円板取り付け部21の中央部には飾り円板１の３個の係止爪14a、14b、14cが係合する係止穴24a、24b、24cが穿たれ、また、飾り円板１の位置決め突起15a、15bが嵌入する位置決め穴25a、25bが形成されている。胴部22は中空に形成され、飾り円板１の軸受け孔13のボス部13aを受ける受け座22aと軸受け孔22bが形成されている。
【００１４】
取り付け基板３は、図４に示すように、その周縁には取り付け縁部31が形成され、３個のねじ孔32a、32b、32cからねじ(図示せず)により遊技盤面に取り付けられる。取り付け基板３の裏面には光源室3Aを形成するスカート部33が設けられる。金属製の各支承軸４は２個の軸ボス部34a、34bに支承されるように取り付け基板３と一体成形(インサート成形)されており、その先端部には止め輪５固定用の係止溝4aが形成されている。基板裏面略中央部にはランプ基板６を固定するためのねじボス35が突き出して成形され、スカート部33は、基板補強用のリブとして軸ボス部34a、34bを囲み、ねじボス35に連なり、上下に区画された光源室3Aを形成している。また、軸ボス部34a、34bの先端には段付きの位置決めピン36a、36bが形成されている。なお、33aは、ランプ基板６のコネクタ(後述)を逃げる切り欠きであり、37a、37bは遊技盤に風車装置を取り付ける際の位置決めピンであり、遊技盤の位置決め孔に嵌合するものである。
【００１５】
飾り円板１と回転本体２を組み立てた回転体(風車)は、支承軸４に挿着され軸受け孔部で軸に回転自在に保持(ラジアル支持)されるが、軸方向の支持(スラスト支持)は、止め輪５で行われる。止め輪５は、図５に示すように飾り円板１の止め輪収納穴12に嵌着保持される外径を有する中空のリングでその中空部の内周には前記支承軸４の係止溝4aに嵌着する突条5aを有している。止め輪５はプラスチックで成形され、弾性を有するので若干締まり目の嵌合公差により突条5aが前記係止溝4aに填り込み組立回転体を支承軸４に保持する。
【００１６】
ランプ基板６は、図６に示すように、前述の光源室3Aを構成するスカート部33の外形に略等しい外形を有する回路基板であって、その表面には、６個の光源すなわち本実施形態においてはLED(発光ダイオード)61a、61b、61c、61d、61e、61fが取り付けられ、二つに区画された光源室に各３個の光源が内蔵されるようにしている。基板には電源回路(図示せず)が形成され、コネクタ62により外部回路基板に接続される。63はねじ止めのための孔であり、ねじにより取り付け基板３のねじボス35に固定される。ランプ基板６の取り付け基板３への取り付けに際しては、位置決め孔64a、64bを取り付け基板３の位置決めピン36a、36bに嵌め込むことにより、左右および前後の位置を決めて取り付けることができる。
【００１７】
以上の風車装置を製造し、組み立てる際は、まず、飾り円板１、回転本体２、支承軸４をインサートした取り付け基板３および止め輪５をそれぞれプラスチック材で成形し、またランプ基板を別途組み立てて準備しておく。遊技盤への取り付けに際しては、飾り円板１の止め輪収納孔12に止め輪５を嵌合した後係止爪14a、14b、14cを内側にすぼめ、飾り円板１の位置決め突起15a、15bを回転本体２の位置決め孔25a、25bに合わせ、飾り円板１を回転本体２の前面から装着する。係止爪14a、14b、14cが係止孔24a、24b、24cに嵌入すると爪の鉤が拡がり、係止爪14a、14b、14cは円板取り付け部21の裏面に噛み込み、飾り円板１と止め輪５の組立体は凹部21aに嵌着され、一体となった風車すなわち回転体が構成される。
【００１８】
この組立回転体を２個、予め回路基板６を取り付けた取り付け基板３の二つの支承軸４の前から押し込めば支承軸４に各組立回転体が回転自在に保持され、ランプ付きの風車装置は完成する。遊技盤に取り付ける際は取り付け基板３の位置決めピン37a、37bを遊技盤の位置決め孔に合わせてねじ孔32a、32b、32cでねじ止めして取り付ける。なお、場合によっては、LEDを取り付けた回路基板６を組み込んだ取り付け基板３を先に遊技盤に取り付け、後に各組立回転体(風車)を支承軸４に挿着することもできる。
【００１９】
以上のように、本発明の風車装置の回転体(風車)は、飾り円板１と回転本体２の単部品から構成され、部品点数の少ない複雑な風車形状を可能としたものであり、飾り円板１は円板形の単純な形状を基本とした成形(射出成形)が可能な形状であり、円板部の抜き孔16も係止爪の14の成形型抜き孔を兼ねて、任意の形状で抜くことができ、形状に変化を持たせることもできる。また、円板単独で独自の着色プラスチックを使用することもでき、この場合は多彩で変化に富んだ風車を構成することができる。
【００２０】
また、回転本体２も成形可能な形状であり、胴部22には回転翼23を形成し、遊技球が落下するポケットを形成しているので遊技球のエネルギを回転エネルギに効率よく変換できる。また、これを透明プラスチックで製作した場合は光源の光を前面の飾り円板１に伝える導光体として機能し、装飾効果、電飾効果を上げることができる。
【００２１】
また、本発明の風車装置は、飾り円板１を回転本体２に組み込んだ回転体(風車)を金属製の支承軸４を一体成型した取り付け基板３に取り付けるようになしているので部品点数が少なく、成形性、組立性を向上している。また、飾り円板１および回転本体２に軸受け孔13および22bを形成しているので安定した回転を保証でき、また、軸受け耐久性を向上している。更には、組立回転体のスラスト方向は別体の止め輪５で止めているので、止め輪５の材質を最適化することもできる。
【００２２】
取り付け基板３においては、リブをかねるスカート部33で光源室3Aを構成しているので、合理的形態であり、また、金属製の支承軸４をインサート成形し、その軸端を位置決めピン36a、36bと兼用しているので、取り付け基板３の剛性、強度を増し、形状を合理的、機能的になしている。実施形態のものにあっては、スカート部33の幅(高さ)より、高い位置に位置決めピン36a、36bの段差を高い位置に形成して回路基板６と光源室3Aの間に隙間を設け、光源LED61a〜61fの放熱を行うようになしている。
【００２３】
本発明の風車装置は、飾り円板１と回転本体２および止め輪を５を組み込んだ組立回転体(風車)を取り付け基板３に取り付けるようになしているので、多彩で変化に富んだ風車装置を提供するとともに製造が容易で組み立て性を向上したコストの低い風車装置を実現できる。
【００２４】
以上の実施形態の説明においては、１個の取り付け基板に２本の支承軸を設けた２連風車装置を説明した。この場合、複雑でかつコンパクトな実用性の高い風車装置を提供できるが、取り付けスペースの関係では、１個の取り付け基板に１個の風車(回転体)を設けたものでもよく、２連以上３連、４連などの風車を取り付けることもできる。また、金属製の支承軸を取り付け基板に一体成型することは種々の効果を生むが場合によっては支承軸をプラスチックで成形することもでき、金属製の支承軸を接着剤などで取り付け基板に固着することもできる。
【００２５】
飾り円板の形状についていえば、抜き孔は係止爪の鉤部の成形のための型抜きに必要な孔が抜いてあればよく、抜き孔の形状、数は適宜装飾効果、電飾効果を高めるように定めることができる。また、回転本体の円板取り付け部の形状についていえば、必ずしも円板状の取り付け部でなくともよく飾り円板を一体的に保持できる形状であればよく、飾り円板の形状との兼ね合いで適宜の形態をとりうる。さらに、回転本体の回転翼の形状は遊技球を受けるポケットが形成できるものであればよく、また、その数も必ずしも３枚である必要はなく、場合によっては１枚あるいは風車の大きさによっては３枚以上も可能である。
【００２６】
次に本発明の弾球遊技機について説明する。図７は本発明の風車装置の前述の実施形態のものを装備した本発明にかかる新規なパチンコ遊技機一例の遊技盤の正面図である。
【００２７】
図７において、遊技盤100の略円形の遊技領域Rは、内レール110(アウト口と一体になったアウト口レール)と遊技領域Rの上部および右側部を画定する枠飾り120により略円形に画定される。内レール110の外側には外レール130が内レールと略並行に設けられ遊技球を誘導する弓状の誘導路を形成している。
【００２８】
遊技領域R内には、遊技くぎ(図示せず)が植設され、遊技球の落下路を形成している。頂部のいわゆる天釘(図示せず)の下部には弓状のラウンドレンズ140が設けられ、その下方には図柄表示部150が位置する。図柄表示部150は、頂部に突出た凸ステージ部151と両側のワープルート152、153と底部の凹んだ凹ステージ154を有する略四角のフレーム150Aに特別図柄表示装置155を組み込んだものであり、遊技領域中央やや上方に設けられる。
【００２９】
凸ステージ部151前面には、中央飾り156が設けられ、中央飾り156の上半分は金属飾り156aであり、金属飾り156aの下には表示装置156bが設けられる。表示装置156bの中央には普通図柄表示装置、その両脇に各２個の普通図柄始動の保留球表示ランプ、さらにその両側に各２個の特別図柄始動の保留球表示ランプが取付けられている。中央飾り156の両側の盤面にはラウンドレンズ140に平行な補助レンズ157a、157bが取付けられている。
【００３０】
ワープルート153の右外側には、上述の実施形態の風車装置162が取り付けられ、ワープルート152の左外側には、風車装置162と機能、構成は同一であるが、形状が左右対称形である風車装置161が取り付けられている。
【００３１】
各風車装置161、162の下方側部には二つの一般入賞口171a、171bを取付け、電飾ランプ171cを内蔵したサイドレンズ171と、同じく二つの一般入賞口172a、172bを取付け、電飾ランプ172cを内蔵したサイドレンズ172が左右対称に取付けられている。表示装置150の中央下方には電動役物で、羽根が開閉する電動チューリップ180、その下方でアウト穴190の上には開閉扉を有するアタッカー(大入賞口)200が設けられ、アタッカー(大入賞口)200左上方には始動口210が位置している。
【００３２】
このパチンコ遊技機においては、各役物の配置形状は異なるもののその遊技方法は従来の遊技盤と変わるところはないので説明は省略する。本パチンコ遊技機にあっては、本発明にかかる２連の風車装置を設けているので遊技球の動きが複雑になり遊技の興趣を増すとともに組み立てあるいは製造の負荷を増すことが無く実用性の高いものである。さらに、図示した実施形態のものにあっては、円弧状に湾曲した左右対称な２組の２連風車装置を遊技盤の左右周縁に設けているので均整のとれた配置となり、狭いスペースを有効に使った電飾効果に優れたパチンコ遊技機を提供できる。
【００３３】
なお、本発明の風車装置は、如上のパチンコ遊技機に限らず、じゃん球遊技機、アレンジボールなど他の弾球遊技機にも適用でき、本発明の弾球遊技機もパチンコ遊技機に限らないことは明白であろう。
【００３４】
【発明の効果】
本発明の風車装置は、落下する遊技球が接触することにより回転する回転体と、回転体を回転自在に支承し、遊技盤に取り付ける取り付け基板と、取り付け基板に内蔵され光源を取り付けたランプ基板とからなる弾球遊技機の風車装置において、回転体が、飾り円板と、飾り円板を取り付ける円板取り付け部と円板取り付け部に連なり周面に回転翼を突き出した胴部を有する回転本体と、からなっているので、回転性能を向上した上で、成形製造が容易で、部品点数が少なく、また、多彩で変化に富み、装飾性に優れたコストの低い風車装置を提供できる。
【００３５】
本発明の弾球遊技機は、取り付け基板に複数の回転体を取り付けた本発明にかかる風車装置を設けたものであり、コストおよび組立工数を大幅に増加することなく、複数あるいは連風車を設け、遊技機の電飾性能の向上、訴求性の向上に寄与できる。
【図面の簡単な説明】
【図１】本発明風車装置の一実施形態の斜視図であり、図１(a)は組立斜視図、図１(b)は部分分解斜視図である。
【図２】飾り円板を示す図であり、図２(a)は正面図、図２(b)は図２(a)のA-A断面図、図２(c)は背面図である。
【図３】回転本体を示す図であり、図３(a)は正面図、図３(b)は図３(a)のB-B断面図、図２(c)は背面図である。
【図４】取り付け基板を示す図であり、図４(a)は正面図、図４(b)は図４(c)のC-C断面図、図4(c)は背面図である。
【図５】止め輪を示す図であり、図５(a)は側断面図、図５(b)は正面図である。
【図６】ランプ基板を示す図であり、図６(a)は正面図、図６(b)は側面図、図６(c)は背面図である。
【図７】本発明の弾球遊技機の一実施形態であるパチンコ遊技機の遊技盤の正面図である。
【符号の説明】
１    飾り円板(回転体)
２    回転本体(回転体)
３    取り付け基板
４    支承軸
５    止め輪
６    回路基板
21    円板取り付け部
22    胴部
23a、23b、23c  回転翼
【図１】
0004440423.tif 000002
【図２】
0004440423.tif 000003
【図３】
0004440423.tif 000004
【図４】
0004440423.tif 000005
【図５】
0004440423.tif 000006
【図６】
0004440423.tif 000007
【図７】
0004440423.tif 000008